(57)【要約】【課題】障子を枠体から容易に平行に突き出しあるいは引き込みができ、かつ、突き出した状態で障子を容易にスライドさせることができる建具を提供する。【解決手段】枠体に対して室外に向けて突き出し可能に設けられた第一および第二レール部材２１，２２、レール部材２１，２２の長手方向に沿ってスライドする障子３０、第一レール部材２１を上枠材１１に対して見込み方向に移動させる第一リンク機構５１、第二レール部材２２を下枠材１２に対して見込み方向に移動させる第二リンク機構５２、および第一リンク機構５１と第二リンク機構５２とを連動させる連動機構６０を備える。連動機構６０は、第一リンク機構５１に連結された第一リンケージバー６１、第二リンク機構５２に連結された第二リンケージバー６２、およびリンケージバー６１，６２を連結する第三リンケージバー６３を有する。【選択図】図９
2014134068.tif 000002
【特許請求の範囲】
【請求項１】
互いに対向する第一枠材および第二枠材と、前記第一枠材および第二枠材の両端間を連結する第三枠材および第四枠材を有する枠体と、
前記第一枠材および第二枠材に対して見込み方向に移動可能に設けられ、互いに対向配置された第一レール部材および第二レール部材と、
前記第一レール部材および第二レール部材で案内されて前記各レール部材の長手方向に沿って移動する障子と、
前記第一枠材および前記第一レール部材間に設けられ、前記第一レール部材を前記第一枠材に対して見込み方向に移動させる第一リンク機構と、
前記第二枠材および前記第二レール部材間に設けられ、前記第二レール部材を前記第二枠材に対して見込み方向に移動させる第二リンク機構と、
前記第一リンク機構による前記第一レール部材の見込み方向の移動と、前記第二リンク機構による前記第二レール部材の見込み方向の移動とを連動させる連動機構と、を備え、
前記連動機構は、
前記第一リンク機構に連結され、前記第一枠材の長手方向に沿って往復動自在に設けられた第一リンケージバーと、
前記第二リンク機構に連結され、前記第二枠材の長手方向に沿って往復動自在に設けられた第二リンケージバーと、
前記第一リンケージバーおよび第二リンケージバーを連結し、前記第三枠材の長手方向に沿って往復動自在に設けられた第三リンケージバーとを有する建具。
【請求項２】
前記第一リンク機構は、
前記第一レール部材に一端部が回動自在に支持され、他端部が前記第一リンケージバーに回動自在に連結された揺動リンクと、
前記揺動リンクの中間部分に一端部が回動自在に支持され、他端部が前記第一枠材に回動自在に支持された回動リンクとを備え、
前記第二リンク機構は、
前記第二レール部材に一端部が回動自在に支持され、他端部が前記第二リンケージバーに回動自在に連結された揺動リンクと、
前記揺動リンクの中間部分に一端部が回動自在に支持され、他端部が前記第二枠材に回動自在に支持された回動リンクとを備える請求項１に記載の建具。
【請求項３】
前記第一リンケージバーと前記第三リンケージバーとはコーナー用連結部材で連結され、このコーナー用連結部材は、前記第一枠材と前記第三枠材との接続部分に固定された案内部材に案内され、
前記第二リンケージバーと前記第三リンケージバーとはコーナー用連結部材で連結され、このコーナー用連結部材は、前記第二枠材と前記第三枠材との接続部分に固定された案内部材に案内される請求項１または請求項２に記載の建具。
【請求項４】
前記枠体の第一枠材は上枠、第二枠材は下枠、第三枠材および第四枠材は縦枠とされ、
前記第一レール部材は上枠に沿って配置され、前記第二レール部材は下枠に沿って配置され、
前記障子は、前記第一レール部材に沿って転動する上部ローラ部と、前記第二レール部材に沿って転動する下部ローラ部とを備える請求項１ないし請求項３のいずれか１項に記載の建具。
【請求項５】
前記第一レール部材と前記第二レール部材とは、それぞれ互いに対向する隅角部が内側に形成された断面形状を有し、
前記上部ローラ部と前記下部ローラ部とは、それぞれ前記互いに対向する隅角部の一方のみに周面が当接する第一ローラ体と、前記互いに対向する隅角部の他方のみに周面が当接する第二ローラ体と、を有する請求項４に記載の建具。
【請求項６】
前記障子は、ロックピンと、このロックピンを前記枠体に係合させあるいは係合を解除させる施錠用ハンドルとを有する請求項１ないし請求項５のいずれか１項に記載の建具。
【請求項７】
前記第二レール部材の前記枠体からの見込み方向の移動を案内するガイド機構を備え、
前記ガイド機構は、前記第二レール部材に設けられたガイドローラと、このガイドローラの転動を上面で支持するガイド片部とを有する請求項４または請求項５に記載の建具。
【発明の詳細な説明】
【技術分野】
【０００１】
本発明は、互いに対向配置されたレール部材が枠体から室外に向けて突き出し可能とされ、これらのレール部材の間の空間を障子で開閉する建具に関する。
【背景技術】
【０００２】
外壁に上枠、下枠および左右の縦枠からなる枠体を取り付け、この枠体から障子を見込み方向に突き出し可能とした突き出し窓が知られている。
このタイプの従来例として、サッシ枠の下枠と上枠の左右両側にそれぞれアームの一端部を枢着し、障子戸の下部と上部とをそれぞれ左右にガイド部材で案内し、これらのガイド部材にアームの他端部をそれぞれ枢着し、サッシ枠の四辺に沿って無端状の可撓性条体を設け、この可撓性条体とアームとを連結し、可撓性条体に連結されたハンドルをサッシ枠に設けた突き出し横引き切換窓がある（特許文献１）。
この特許文献１で示される従来例では、ハンドルを回動操作すると、サッシ枠に沿って可撓性条体が移動し、可撓性条体にそれぞれ連結された複数のアームが回動する。これらのアームが回動することによって、障子戸が支持されたガイド部材がサッシ枠から室外に突き出される。障子戸はガイド部材の長手方向に沿って移動される。
【０００３】
さらに、従来例として、扉枠の上枠の戸先側上部と戸尻側上部とにアーム状のヒンジの一端を回動可能に設け、これらのヒンジの他端部にスライドガイド部材を連結し、スライドガイド部材に扉を移動自在に支持し、扉枠の下枠の戸尻側下部にアーム状のヒンジの一端を回動自在に設け、このヒンジの他端を扉に設けられた案内溝に係合し、戸尻側上部のヒンジの他端部と戸尻側下部のヒンジの他端部とを連結軸で連結した建物用スライドドアがある（特許文献２）。
この特許文献２で示される従来例では、扉の戸先側上部と戸尻側上部と戸尻側下部とにそれぞれ設けられたヒンジにより、扉が扉枠から見込み方向に持ち出された後、扉がスライドガイド部材の長手方向に沿ってスライドする。
【先行技術文献】
【特許文献】
【０００４】
【特許文献１】実公昭６２−１４３０６号公報
【特許文献２】特許５０１３５３７号公報
【発明の概要】
【発明が解決しようとする課題】
【０００５】
特許文献１で示される従来例では、障子戸が支持されたガイド部材をサッシ枠から突き出しあるいは引き込むために、ハンドルを操作して、サッシ枠の四辺に沿って無端状の可撓性条体を移動させる必要がある。そのため、障子戸が大きかったり重かったりすると、障子戸をサッシ枠から突き出す等のために大きな力が必要とされる。
【０００６】
特許文献２で示される従来例では、扉枠とスライドガイド部材および扉とが上下合計３箇所のヒンジで連結されているので、平行状態を維持しながら扉を扉枠に対して見込み方向に突き出しあるいは引き込むことができない。
【０００７】
本発明の目的は、障子を枠体から容易に平行に突き出しあるいは引き込みができ、かつ、突き出した状態で障子を容易にスライドさせることができる建具を提供することにある。
【課題を解決するための手段】
【０００８】
本発明の建具は、互いに対向する第一枠材および第二枠材と、前記第一枠材および第二枠材の両端間を連結する第三枠材および第四枠材を有する枠体と、前記第一枠材および第二枠材に対して見込み方向に移動可能に設けられ、互いに対向配置された第一レール部材および第二レール部材と、前記第一レール部材および第二レール部材で案内されて前記各レール部材の長手方向に沿って移動する障子と、前記第一枠材および前記第一レール部材間に設けられ、前記第一レール部材を前記第一枠材に対して見込み方向に移動させる第一リンク機構と、前記第二枠材および前記第二レール部材間に設けられ、前記第二レール部材を前記第二枠材に対して見込み方向に移動させる第二リンク機構と、前記第一リンク機構による前記第一レール部材の見込み方向の移動と、前記第二リンク機構による前記第二レール部材の見込み方向の移動とを連動させる連動機構と、を備え、前記連動機構は、前記第一リンク機構に連結され、前記第一枠材の長手方向に沿って往復動自在に設けられた第一リンケージバーと、前記第二リンク機構に連結され、前記第二枠材の長手方向に沿って往復動自在に設けられた第二リンケージバーと、前記第一リンケージバーおよび第二リンケージバーを連結し、前記第三枠材の長手方向に沿って往復動自在に設けられた第三リンケージバーとを有することを特徴とする。
【０００９】
この構成の本発明では、枠体に対して障子を開くには、まず、障子の適宜な場所を押して障子をレール部材ごと枠体に対して見込み方向、例えば、室外に向けて突き出す。すると、第一リンク機構および第二リンク機構とともに、連動機構が作動する。連動機構では、第一リンク機構に連結された第一リンケージバーが第一枠材の長手方向に沿って移動し、第二リンク機構に連結された第二リンケージバーが第二枠材の長手方向に沿って移動する。この際、第１リンケージバーおよび第二リンケージバーは第三リンケージバーに連結されているので、これらの第一リンケージバー、第二リンケージバーおよび第三リンケージバーが連動することになる。これらの第一から第三のリンケージバーが連動することで、第一リンク機構と第二リンク機構との動きが同調することになり、障子はレール部材とともに枠体に対して見込み方向、例えば、室外に向けて突き出される。
これにより、障子が枠体の見込み方向に移動するため、枠体の開口正面に障子を配置しながら、障子および枠体間の隙間を通じて換気等を行うことができる。さらに、障子をレール部材に対してスライドさせて開放操作することで、枠体の開口正面から障子を移動できるため、建具の開口窓が開放される。
枠体に対して障子を閉じるには、レール部材に対して障子を閉鎖位置までスライド移動させ、その後、レール部材を枠体に引き込む。すると、前述と同様に、第一リンク機構、第二リンク機構および連動機構が作動することになるが、連動機構では、第一リンケージバー、第二リンケージバーおよび第三リンケージバーは前述とは逆方向に移動することになる。建具の開口閉塞時でも、これらのリンケージバーが連動して移動することで、第一リンク機構と第二リンク機構との動きが同調することになり、障子はレール部材とともに枠体に引き込まれる。
【００１０】
したがって、本発明では、第一枠体、第二枠材と、第一レール部材、第二レール部材との間に第一リンク機構および第二リンク機構を設け、これらの第一リンク機構および第二リンク機構を第一リンケージバー、第二リンケージバーおよび第三リンケージバーで連動させる構成としたので、一対のレール部材が同じ量だけ移動することから、平行を維持したまま障子を突き出しあるいは引き込むことができる。しかも、レール部材を枠体に対して見込み方向に移動させるために、障子の適宜な場所を押せばよいので、ハンドルを操作する場合に比べて簡単に窓の開放操作を行うことができる。つまり、サッシ枠の四辺に沿って無端状の可撓性条体を移動させることで障子戸を突き出す従来例では、可撓性条体を移動させるにはハンドル自体に大きな力を加えて回動しないと、障子戸を突き出しあるいは引き込むことができないが、本発明では、障子の正面を押圧するだけで、第一リンク機構、第二リンク機構および連動機構が連動し、障子が平行に突き出される。
しかも、本発明では、枠体からレール部材が突き出された状態では、障子と枠体との間には見込み方向に隙間ができるので、この隙間を通じて室内が換気されることになる。その上、一対のレール部材の間に形成される空間が障子で閉塞された状態では、室内外での人や物の移動が規制されるので、プライバシーの保護上や防犯上、さらには室内から室外への物の落下を規制する上で好ましい。
【００１１】
本発明の建具では、前記第一リンク機構は、前記第一レール部材に一端部が回動自在に支持され、他端部が前記第一リンケージバーに回動自在に連結された揺動リンクと、前記揺動リンクの中間部分に一端部が回動自在に支持され、他端部が前記第一枠材に回動自在に支持された回動リンクとを備え、前記第二リンク機構は、前記第二レール部材に一端部が回動自在に支持され、他端部が前記第二リンケージバーに回動自在に連結された揺動リンクと、前記揺動リンクの中間部分に一端部が回動自在に支持され、他端部が前記第二枠材に回動自在に支持された回動リンクとを備える構成が好ましい。
【００１２】
この構成では、第一リンク機構において、第一レール部材を第一枠体に対して出没させると、第一レール部材に支持された一端を回動中心として揺動リンクが回動する。この揺動リンクの中間部分には回動リンクの一端部が連結されており、この回動リンクの他端部は第一枠材に回動自在に支持されているので、揺動リンクの他端部に連結された第一リンケージバーは第一枠材の長手方向に沿って移動することになる。同様に、第二リンク機構において、第二レール部材を第二枠体に対して出没させると、第二レール部材に支持された一端を回動中心として揺動リンクが回動する。この揺動リンクの中間部分には回動リンクの一端部が連結されており、この回動リンクの他端部は第二枠材に回動自在に支持されているので、揺動リンクの他端部に連結された第二リンケージバーは第二枠材の長手方向に沿って移動することになる。
そのため、障子を、第一および第二レール部材とともに平行を維持しながら見込み方向に移動させることを、揺動リンクおよび回動リンクを用いた簡易な構造で実現することができる。
【００１３】
本発明の建具では、前記第一リンケージバーと前記第三リンケージバーとはコーナー用連結部材で連結され、このコーナー用連結部材は、前記第一枠材と前記第三枠材との接続部分に固定された案内部材に案内され、前記第二リンケージバーと前記第三リンケージバーとはコーナー用連結部材で連結され、このコーナー用連結部材は、前記第二枠材と前記第三枠材との接続部分に固定された案内部材に案内される構成が好ましい。
この構成では、第一リンケージバーと第三リンケージバーとがコーナー用連結部材で連結されており、同様に、第二リンケージバーと第三リンケージバーとがコーナー用連結部材で連結されており、これらのコーナー用連結部材が隣合う枠材の接続部分に固定された案内部材で案内される。そのため、互いに交差する方向に配置されている第一リンケージバーと第三リンケージバー、および第二リンケージバーと第三リンケージバーとの動きを正確にかつスムーズに連動させることができる。したがって、障子を案内するレール部材の枠体に対する見込み方向の移動を、平行状態を正確に維持しながらスムーズに行うことができる。
【００１４】
本発明の建具では、前記枠体の第一枠材は上枠、第二枠材は下枠、第三枠材および第四枠材は縦枠とされ、前記第一レール部材は上枠に沿って配置され、前記第二レール部材は下枠に沿って配置され、前記障子は、前記第一レール部材に沿って転動する上部ローラ部と、前記第二レール部材に沿って転動する下部ローラ部とを備える構成が好ましい。
この構成では、第一レール部材および第二レール部材を室外側に突出させて枠体の室外側に移動すると、各レール部材の一端部間は開放されているため、枠体の縦枠等に阻害されることなく、障子を各レール部材に沿ってスライド移動させることができる。そのため、障子は、その一部が各レール部材の開放端を超えてもスライド可能となっているので、１枚の障子であっても窓を大きく開けることができる。しかも、障子を移動させるために上部ローラ部と下部ローラ部とが障子に設けられているので、障子の一部がレール部材の開放端から突出している状態にあっても、障子の残りの部分が上部ローラ部と下部ローラ部とを介して各レール部材に支持されることになるので、障子がレール部材から脱落することがない。
【００１５】
本発明の建具では、前記第一レール部材と前記第二レール部材とは、それぞれ互いに対向する隅角部が内側に形成された断面形状を有し、前記上部ローラ部と前記下部ローラ部とは、それぞれ前記互いに対向する隅角部の一方のみに周面が当接する第一ローラ体と、前記互いに対向する隅角部の他方のみに周面が当接する第二ローラ体と、を有する構成が好ましい。
この構成では、複数のローラ体のうち第一ローラ体の周面一方が隅角部の一方のみに周面が当接し、第二ローラ体の周面他方が隅角部の他方のみに周面が当接するので、障子の移動に際して、摩擦、ガタが少なく、障子を円滑に移動することができる。
【００１６】
本発明の建具では、前記障子は、ロックピンと、このロックピンを前記枠体に係合させあるいは係合を解除させる施錠用ハンドルとを有する構成が好ましい。
この構成では、施錠用ハンドルは、ロックピンを移動して枠体に係合させたり、その係合を解除させたりするのであって、ハンドルを操作することで第一リンク機構および第二リンク機構を操作するものではない。障子およびレール部材を枠体から突き出しあるいは引き込む際、および障子をレール部材に対しスライド移動させる際に、施錠用ハンドルをもつことがあるが、その際は、施錠用ハンドルは障子の持ち手として利用されるものであり、ハンドルの回動操作は必要とされない。したがって、障子の開閉操作を容易に行うことができる。
【００１７】
本発明の建具では、前記第二レール部材の前記枠体からの見込み方向の移動を案内するガイド機構を備え、前記ガイド機構は、前記第二レール部材に設けられたガイドローラと、このガイドローラの転動を上面で支持するガイド片部とを有する構成が好ましい。
ここで、ガイド片部は、枠体の一部から構成されるものでもよく、あるいは、枠体とは別の部材から構成されるものであってもよい。
この構成では、障子およびレール部材を突き出しあるいは引き込む際に、障子およびレール部材の荷重をガイド機構で支持することになるので、第一リンク機構および第二リンク機構にかかる障子およびレール部材の支持荷重を少なくすることができるとともに、ガイドローラにより円滑に移動することができる。
【発明の効果】
【００１８】
本発明では、障子を枠体から容易に平行に突き出しあるいは引き込みができ、かつ、突き出した状態で障子を容易にスライドさせることができる。
【図面の簡単な説明】
【００１９】
【図１】本発明の一実施形態に係る建具を室外から見た斜視図。
【図２】建具を室外から見た正面図。
【図３】建具を室内から見た正面図。
【図４】建具の一方の側面図。
【図５】建具の他方の側面図。
【図６】建具の上面図。
【図７】建具の底面図。
【図８】施錠機構を示す概略図。
【図９】本実施形態の要部を示す概略斜視図。
【図１０】本実施形態の要部を示す概略平面図。
【図１１】コーナー用連結部材と案内部材との構成を示す斜視図。
【図１２】建具の下部の側面図。
【図１３】下部ローラ部の構成を示す斜視図。
【図１４】ガイド機構の構成を示す斜視図。
【図１５】障子をスライドさせた直後の状態の建具を室外から見た斜視図。
【発明を実施するための形態】
【００２０】
本発明の一実施形態を図面に基づいて説明する。本実施形態の建具は平行突き出しスライド窓である。
図１から図７には、窓が開放された状態が示されている。
【００２１】
［建具の全体構成］
図１から図７において、建具１は、図示しない建物の外壁に取付けられる上枠材１１および下枠材１２と、左右縦枠材１３，１４とから枠組みされて成る矩形状の枠体１０と、この枠体１０の上枠材１１および下枠材１２に対してそれぞれ対向する位置に設けられ、室外に向けて突き出しおよび引き込みが可能に設けられた上下のレール部材２１，２２と、これらのレール部材２１，２２の間の空間２０をスライド開閉する障子３０と、枠体１０に設けられレール部材２１，２２の枠体１０からの突き出しおよび引き込みを案内するガイド機構４０と、枠体１０とレール部材２１，２２との間に設けられ障子３０を枠体１０から平行に突き出す突出機構５０と、障子３０を施錠する施錠機構３とを備えて構成されている。
なお、障子３０がレール部材２１，２２の間の空間２０に位置して枠体１０と正対する正面に位置する場合が障子３０の半閉鎖位置であり、障子３０がレール部材２１，２２の間の空間２０から移動して枠体１０に対し最もスライドした状態が開放位置である。半閉鎖位置にある障子３０が上下のレール部材２１，２２ごと枠体１０に収納されている状態では、障子３０と枠体１０とは密閉される閉鎖位置であり、障子３０が完全に閉じられている。そして、上枠材１１で第一枠材が構成され、下枠材１２で第二枠材が構成され、縦枠材１４で第三枠材が構成され、縦枠材１３で第四枠材が構成されている。
【００２２】
上下のレール部材２１，２２は、それぞれ水平に伸びており、上のレール部材２１と下のレール部材２２との一端部（図１および図２において左端部）の間は縦枠が省略された開放端とされている。レール部材２１，２２の開放端は障子３０のスライドを許容するものである。これらのレール部材２１，２２には、開放端から障子３０が脱落することを防止するための図示しないストッパが設けられている。レール部材２１で第一レール部材が構成され、レール部材２２で第二レール部材が構成されている。
【００２３】
障子３０は、上框３１および下框３２と、左右縦框３３、３４とから框組みされて成る矩形状の框材３００およびこの框材３００内に設けられたガラス・アクリル板等からなる面材３０１から構成されている。
図２で左側（図３で右側）に配置された縦枠材１３の内周面には、突き出された上下のレール部材２１，２２を、障子３０が空間２０に位置して枠体１０と正対する正面に位置する半閉鎖位置の状態で枠体１０への引きこみを許容し、障子３０が空間２０から移動して枠体１０に対しスライドした状態で枠体１０への引きこみを規制する突出維持部品７が設けられている。
なお、上・下・左右縦枠材１１，１２，左右縦枠材１３，１４および上・下・左右縦框３１、３２、３３、３４並びにレール部材２１，２２は、アルミや樹脂の押出し、引抜きの成形品或は木製の成形品等から成っている
【００２４】
［施錠用ハンドルの施錠構造］
図８において、施錠機構３は、施錠用ハンドル３５と、この施錠用ハンドル３５に連結され障子３０の縦框３４の上下に沿って進退自在に設けられた連結部材３６と、施錠用ハンドルの回動操作を障子３０が完全に閉じられている場合にのみ許容する操作部トリガー機構３７と、障子３０の枠体１０からの突き出しを許容あるいは規制する錠機構３８とを備える。
施錠用ハンドル３５は、縦框３４に設けられた基部３５０と、この基部３５０に回動自在に設けられたレバー部３５１とを備えている。レバー部３５１は、その先端が下方に向くオールロック状態（０°）と、長手方向が水平となる一部ロック状態（９０°）と、その先端が上方に向くロック解除状態（１８０°）との３位置に切り換え可能である。
【００２５】
図５および図８において、連結部材３６は、レバー部３５１に連結されるベース部材３６１と、このベース部材３６１に上下動自在に設けられ先端３６２Ａがレール部材２１に係止可能な係止部材３６２とを備えている。レバー部３５１が０°の位置にあるオールロック状態では、ベース部材３６１および係止部材３６２は上方に移動した位置にあって係止部材３６２の先端３６２Ａがレール部材２１の端部に係止されており、障子３０のレール部材２１，２２でのスライドが規制される。レバー部３５１が９０°の位置にある一部ロック状態では、ベース部材３６１のみが下方に移動し係止部材３６２はそのままの位置にあり、障子３０のスライドが規制される。レバー部３５１が１８０°の位置にあるロック解除状態では、ベース部材３６１および係止部材３６２が下方に移動した位置にあって係止部材３６２の先端３６２Ａがレール部材２１の端部から外れるので、障子３０はレール部材２１，２２の長手方向に沿ってスライド自在である。
【００２６】
錠機構３８は、ベース部材３６１に設けられた２本のロックピン３８１と、これらのロックピン３８１と係合可能な２つの受部材３８２とを有する。受部材３８２は縦枠材１４の内面に設けられている。
障子３０の下框３２には、ベース部材３６１に連結される第一リンク板３８３が設けられ、この第一リンク板３８３に連結される第二リンク板３８４が縦框３３に設けられている。これらの第一リンク板３８３および第二リンク板３８４は、ベース部材３６１とともに連動するようになっている。
第二リンク板３８４には２本のピン部材３８６が設けられ、これらのピン部材３８６に係合可能な受材３８７が縦枠材１３の内周面に２箇所設けられている。
レバー部３５１が０°の位置にあるオールロック状態では、ロックピン３８１は受部材３８２と同じ高さ位置であって受部材３８２より室内側にあり、同様に、ピン部材３６６は受材３８７とは同じ高さ位置であって受材３８７より室内側にあるため、障子３０を室側に向けて押し出しても、障子３０およびレール部材２１，２２の突き出しが規制される。レバー部３５１が図８で示される９０°の位置にある一部ロック状態や、１８０°の位置にあるロック解除状態では、ロックピン３８１は受部材３８２より低い位置となり、ピン部材３６６は受材３８７より高い位置となるため、障子３０を室外に向けて押し出すと、障子３０およびレール部材２１，２２の突き出しが許容される。
【００２７】
［突出機構］
図９において、突出機構５０は、上枠材１１とレール部材２１との間に設けられた第一リンク機構５１と、下枠材１２とレール部材２２との間に設けられた第二リンク機構５２と、第一リンク機構５１と第二リンク機構５２とに連結される連動機構６０とを備えている。第一リンク機構５１と第二リンク機構５２とは対となっている。
第一リンク機構５１は、上枠材１１の長手方向に沿って３個設けられており、３個の第一リンク機構５１のうち２個が縦枠材１３に近接配置され、残り１個が縦枠材１４に近接配置されている。
第二リンク機構５２は、下枠材１２の長手方向に沿って３個設けられており、３個の第二リンク機構５２のうち２個が縦枠材１３に近接配置され、残り１個が縦枠材１４に近接配置されている。
【００２８】
［第一リンク機構および第二リンク機構］
図９および図１０に示される通り、第二リンク機構５２は、レール部材２２に一端部が回動自在に支持された揺動リンク５３と、この揺動リンク５３の長さ方向の中間部分に一端が回動自在に支持された回動リンク５４と、この回動リンク５４の他端部がピン５４Ａで回動自在に支持された長尺状の固定片５５とを備えている。
固定片５５は下枠材１２の上面に固定されている。固定片５５にはレール部材２２の長手方向に沿って係合溝５５Ａが形成されている。この係合溝５５Ａには、揺動リンク５３の他端部に設けられたピン５３Ａが長手方向に移動自在に係合されている。回動リンク５４の他端部は固定片５５に回動自在に支持されている。回動リンク５４の回動支点であるピン５４Ａは、係合溝５５Ａの長手方向に沿った延長線上にある。
【００２９】
図９において、第一リンク機構５１は、第二リンク機構５２とほぼ同じ構造であり、レール部材２１に一端部が回動自在に支持された揺動リンク５３と、この揺動リンク５３の長さ方向の中間部分に一端が回動自在に支持された回動リンク５４と、この回動リンク５４の他端部が回動自在に支持された固定片５５とを備えている。固定片５５は上枠材１１の下面に固定されている。固定片５５にはレール部材２１の長手方向に沿って係合溝５５Ａが形成され、この係合溝５５Ａには揺動リンク５３の他端部に設けられた図示しないピンが長手方向に移動自在に係合されている。回動リンク５４の他端部は固定片５５に回動自在に支持されている。但し、第一リンク機構５１は第二リンク機構５２に対して平面視で揺動リンク５３と回動リンク５４との配列が左右で逆とされている。
【００３０】
［連動機構］
図９および図１０において、連動機構６０は、第一リンク機構５１と第二リンク機構５２とのレール部材２１，２２に対する突出と没入とを連動させるものであり、第一リンク機構５１の揺動リンク５３に連結された第一リンケージバー６１と、第二リンク機構５２の揺動リンク５３に連結された第二リンケージバー６２と、これらの第一リンケージバー６１と第二リンケージバー６２とを連結した第三枠材としての縦枠材１４の上下方向に沿って往復動自在に設けられた第三リンケージバー６３とを有する。
第二リンケージバー６２と第二リンク機構５２の揺動リンク５３とは、固定片５５の係合溝５５Ａに係合されたピン５３Ａで連結されている。第二リンケージバー６２には、長手方向に沿って揺動リンク５３の回動支点であるピン５３Ａが第二リンク機構５２の数に応じて３箇所形成されている。同様に、第一リンケージバー６１と第一リンク機構５１の揺動リンク５３とは、固定片５５の係合溝５５Ａに係合された図示しないピンで連結されている。第一リンケージバー６１にはその長手方向に沿って揺動リンク５３の回動支点である図示しないピンが第一リンク機構５１の数に応じて３箇所形成されている。
【００３１】
図９において、第一リンケージバー６１と第三リンケージバー６３とはコーナー用連結部材６５で連結されている。このコーナー用連結部材６５は、上枠材１１と縦枠材１３との接続部分に固定された案内部材６６に案内されている。同様に、第二リンケージバー６２と第三リンケージバー６３とはコーナー用連結部材６５で連結されている。このコーナー用連結部材６５は、下枠材１２と縦枠材１３との接続部分に固定された案内部材６６に案内されている。
図１１において、コーナー用連結部材６５は、案内部材６６に案内される長尺状ばね板材６４０と、この長尺状ばね板材６４０の一端部と第一リンケージバー６１の端部とを接続する接続部材６４１と、長尺状ばね板材６４０の他端部と第三リンケージバー６３の端部とを接続する接続部材６４２とを有する。長尺状ばね板材６４０は、湾曲した状態で第一リンケージバー６１にかかる力を第三リンケージバー６３に伝達する。
案内部材６６は、上枠材１１と縦枠材１３との入隅角部に沿うように、Ｌ字形状とされており、その内部にはコーナー用連結部材６５を移動自在に案内する図示しない案内溝が形成されている。なお、第二リンケージバー６２と第三リンケージバー６３とを連結するコーナー用連結部材６５も図１１のコーナー用連結部材６５と同様の構造である。
【００３２】
［上部ローラ部および下部ローラ部］
図３から図７に戻り、障子３０の上框３１にはレール部材２１に当接して転動する上部ローラ部２３が設けられ、障子３０の下框３２にはレール部材２２に当接して転動する下部ローラ部２４が設けられている。
下のレール部材２２と下部ローラ部２４との関係が図１２および図１３にそれぞれ示されている。
【００３３】
図１２および図１３に示される通り、レール部材２２は、第二リンク機構５２に連結され水平方向に伸びて形成された連結板部２２１と、この連結板部２２１から下方に折り曲げて形成された第一鉛直部２２２と、この第一鉛直部２２２の下端から水平に折り曲げて形成された水平部２２３と、この水平部２２３の端部から上方に折り曲げて形成された第二鉛直部２２４と、この第二鉛直部２２４の上端から水平に折り曲げて形成された折曲部２２５とを有する。
第一鉛直部２２２と第二鉛直部２２４とは互いに対向されている。第一鉛直部２２２の内周面と水平部２２３の内周面とがなす隅角部２２Ａと、第二鉛直部２２４の内周面と折曲部２２５の内周面とがなす隅角部２２Ｂとは互いに対向する。なお、上のレール部材２１は下のレール部材２２とは上下が逆となる形状である。
【００３４】
下部ローラ部２４は、レール部材２２の隅角部２２Ａに周面が当接し、隅角部２２Ｂには当接しない第一ローラ体２４１と、レール部材２２の隅角部２２Ｂに周面が当接し、隅角部２２Ａには当接しない第二ローラ体２４２と、これらのローラ体２４１，２４２の回転軸を回動可能に支持する断面Ｌ字型のローラ支持体２４３と、このローラ支持体２４３を障子３０の下框３２に取り付ける取付片２４４とを有する。ローラ体２４１，２４２の回転軸の軸芯は水平に対して斜め、具体的には、隅角部２２Ａおよび隅角部２２Ｂを結ぶ線分に対して直交する方向に設けられている。
ローラ支持体２４３は下框３２の長手方向に沿って配置されており、このローラ支持体２４３の長手方向に沿ってローラ体２４１，２４２が複数箇所配置されている。
上部ローラ部２３は下部ローラ部２４と同じ構造である。
【００３５】
［ガイド機構］
図１２および図１４において、ガイド機構４０は、下枠材１２から室外側に突出して設けられたガイド片部４１と、これらのガイド片部４１の上面にそれぞれ転動するガイドローラ４２とを有する。ガイド機構４０は、図１では、下枠材１２の両端側にそれぞれ設けられた２個からなるが、本実施形態では、下枠材１２の中央部分に１個あるいは複数個追加したものでもよい。つまり、ガイド機構４０の設置箇所は２箇所に限定されるものではなく３箇所、あるいはそれ以上であってもよい。
ガイドローラ４２は、第二レール部材２２の水平部２２３の下面に基端部が固定された取付片部４２１と、この取付片部４２１の室側側先端に設けられたローラ本体４２２とを有する。
【００３６】
［本実施形態の作用］
本実施形態の建具１において、窓を全開するため、施錠用ハンドル３５を回動操作してレール部材２１，２２が突き出し可能かつ障子３０がスライド可能のロック解除状態にする。そのため、施錠用ハンドル３５を１８０°回動操作してベース部材３６１、および第一から第三リンク板３８３，３８４，３８５を移動させる。すると、ロックピン３８１が受部材３８２から外れるとともに、ピン部材３６６が受材３８７から外れることになる。その後、適宜な場所、例えば、施錠用ハンドル３５を持って障子３０を枠体１０に対し上下のレール部材２１，２２ごと室外に向けて押し出す。
障子３０を押し出すことによって、第一リンク機構５１および第二リンク機構５２とともに連動機構６０が作動する。
【００３７】
第一リンク機構５１では、障子３０とともにレール部材２１が突き出されると、揺動リンク５３は、レール部材２１に回動自在に連結された一端部を回動中心として回動するが、この揺動リンク５３の中間部分には回動リンク５４の一端部が回動自在に連結されているため、揺動リンク５３の他端部は上枠材１１の長手方向に沿って移動することになる。揺動リンク５３のレール部材２１に連結された一端部はレール部材２１の長手方向に対して直角となるように室側に向けて真っ直ぐ移動する。３箇所設けられた第一リンク機構５１は、上枠材１１と平行状態を維持した状態でレール部材２１を室外に向けて真っ直ぐ押し出すことになる。
第二リンク機構５２は第一リンク機構５１と同様の動作をする。つまり、障子３０とともにレール部材２２が突き出されると、揺動リンク５３は、レール部材２２に回動自在に連結された一端部を回動中心として回動するが、この揺動リンク５３は回動リンク５４によって動きが規制されるため、揺動リンク５３の他端部は下枠材１２の長手方向に沿って移動することになり、揺動リンク５３の一端部はレール部材２２の長手方向に対して直角となるように室外に向けて真っ直ぐ移動する。３箇所設けられた第二リンク機構５２は下枠材１２と平行状態を維持した状態でレール部材２２を室外に向けて真っ直ぐ押し出すことになる。
【００３８】
第一リンク機構５１の揺動リンク５３の他端部に連結された第一リンケージバー６１は、上枠材１１の長手方向に沿って移動することになり、第二リンク機構５２の揺動リンク５３の他端部に連結された第二リンケージバー６２は、第一リンケージバー６１とは逆方向に移動することになるが、これらの第一リンケージバー６１と第二リンケージバー６２とはそれぞれコーナー用連結部材６５を介して第三リンケージバー６３で連結されているため、これらの第一リンケージバー６１、第二リンケージバー６２および第三リンケージバー６３が一体となって一方向、図８では、時計回り方向に移動する。
レール部材２２が枠体１０から突き出されるにあたり、レール部材２２の下部に設けられたガイドローラ４２が下枠材１２に取り付けられたガイド片部４１の上面を転動する。
【００３９】
障子３０がレール部材２１，２２とともに枠体１０から室外に突き出されたら、半閉鎖位置にある。この半閉鎖位置から開放位置まで障子３０をスライドさせて窓を開放する。図１５には、障子３０をスライドさせた直後の状態が示されている。なお、図１５では、ガイド機構４０の図示が省略されている。
障子３０は、上框３１に設けられた上部ローラ部２３がレール部材２１に案内され、下框３２に設けられた下部ローラ部２４がレール部材２２に案内されているので、円滑にスライドする。
【００４０】
窓を閉じるには、障子３０で上下のレール部材２１，２２の空間２０を閉じ、その後、施錠用ハンドル３５をもって障子３０を手前に引く。すると、障子３０を保持するレール部材２１，２２が枠体１０に引き込まれる。
レール部材２１，２２が枠体１０に引き込まれると、第一リンク機構５１および第二リンク機構５２は前述とは逆に作動し、第一リンケージバー６１、第二リンケージバー６２および第三リンケージバー６３も前述とは逆方向、図８では、反時計回り方向に移動する。これにより、障子３０は平行状態を維持しながらレール部材２１，２２とともに枠体１０に引き込まれる。
枠体１０に障子３０が引き込まれたら、施錠用ハンドル３５を操作して施錠する。
【００４１】
また、本実施形態では、施錠用ハンドル３５を９０°回動操作してレール部材２１，２２が突き出し可能かつ障子３０がスライド不可能の一部ロック状態にし、障子３０を枠体１０に対し上下のレール部材２１，２２ごと室外に向けて押し出す。この状態では、障子３０は、枠体１０から突き出された位置にあるものの、上下のレール部材２１，２２の間の空間２０を閉じた状態にあるため、障子３０と枠体１０との間にのみスペースが生じることになる。そのスペースは室内の換気等に利用される。
【００４２】
［本実施形態の効果］
従って、本実施形態では次の作用効果を奏することができる。
（１）枠体１０に対して室外に向けて平行に突き出し可能に設けられ互いに平行に配置されたレール部材２１，２２と、これらのレール部材２１，２２の長手方向に沿ってスライドする障子３０と、枠体１０の上枠材１１と第一レール部材２１との間に設けられ第一レール部材２１を上枠材１１に対して平行を維持しながら出没させる第一リンク機構５１と、下枠材１２と第二レール部材２２との間に設けられレール部材２２を下枠材１２に対して平行を維持しながら出没させる第二リンク機構５２と、第一リンク機構５１と第二リンク機構５２とのレール部材２１，２２の突出と没入とを連動させる連動機構６０と、を備え、連動機構６０を、第一リンク機構５１に連結され上枠材１１の長手方向に沿って往復動自在に設けられた第一リンケージバー６１と、第二リンク機構５２に連結され下枠材１２の長手方向に沿って往復動自在に設けられた第二リンケージバー６２と、第一リンケージバー６１と第二リンケージバー６２とを連結し縦枠材１４の長手方向に沿って往復動自在に設けられた第三リンケージバー６３とを有する構成とした。そのため、障子３０を枠体１０から突き出しあるいは引き込む際に、レール部材２１とレール部材２２とで室内外方向の移動量が同じになるので、平行を維持したまま障子３０を突き出しあるいは引き込むことができる。さらに、レール部材２１，２２および障子３０が枠体１０に収まる構成であるため、突き出した障子３０をスライドさせるためのレールや戸袋を枠体１０に別途設けることを要しない。そのため、枠体１０の見込み幅を小さくすることができ、外観が良好となるだけでなく、レールや戸袋を施工する手間が省ける。さらに、障子３０をスライドさせる構成であるため、室内から障子３０の外面清掃が可能である。
【００４３】
（２）第一リンク機構５１は、第一レール部材２１に一端部が回動自在に支持され他端部が上枠材１１の長手方向に移動自在に係合された揺動リンク５３と、この揺動リンク５３の中間部分に一端部が回動自在に支持され他端部が上枠材１１に回動自在に支持された回動リンク５４とを備え、揺動リンク５３の他端部を第一リンケージバー６１に連結した構成とし、同様に、第二リンク機構５２は、第二レール部材２２に一端部が回動自在に支持され他端部が下枠材１２の長手方向に移動自在に係合された揺動リンク５３と、この揺動リンク５３の中間部分に一端部が回動自在に支持され他端部が下枠材１２に回動自在に支持された回動リンク５４と、を備え、揺動リンク５３の他端部を第二リンケージバー６２に連結した構成としたので、障子３０をレール部材２１，２２とともに平行を正確に維持しながら出没させることを、揺動リンク５３および回動リンク５４を用いた簡易な構造で実現することができる。
【００４４】
（３）第一リンケージバー６１と第三リンケージバー６３とはコーナー用連結部材６５で連結され、このコーナー用連結部材６５は、上枠材１１と縦枠材１４との接続部分に固定された案内部材６６に案内されている。そのため、互いに直交する方向に配置されている第一リンケージバー６１と第三リンケージバー６３との一方の進退を他方に伝達するにあたり、コーナー用連結部材６５が湾曲しながら案内部材６６に沿って移動するので、第一リンケージバー６１と第三リンケージバー６３との動きを正確に連動させることができる。同様に、第二リンケージバー６２と第三リンケージバー６３とはコーナー用連結部材６５で連結され、このコーナー用連結部材６５は下枠材１２と縦枠材１４との接続部分に固定された案内部材６６に案内される構成であるため、第二リンケージバー６２と第三リンケージバー６３との動きを正確に連動させることができる。
【００４５】
（４）第一レール部材２１の端部と第二レール部材２２の端部とは障子３０がスライド可能な開放端とされているので、障子３０が１枚でも窓の開口を大きくすることができる。例えば、窓枠に２枚の障子をスライド自在に配置する通常の窓では、枠開口の１／２しか開口量を得ることができないが、本実施形態では、レール部材２１，２２の端部に障子３０のスライドを許容する開放端を設けたから、枠開口の１／２以上の開口量を得ることができる。
【００４６】
（５）障子３０を移動させるために、障子３０の上框３１に第一レール部材２１に沿って転動する上部ローラ部２３を設け、障子３０の下框３２に第二レール部材２２に沿って転動する下部ローラ部２４を設けたから、障子３０のレール部材２１，２２に沿ったスライドが円滑に行える。
【００４７】
（６）レール部材２１，２２は、それぞれ互いに対向する隅角部２２Ａ，２２Ｂが内側に形成された断面形状を有し、上部ローラ部２３と下部ローラ部２４とは、それぞれ隅角部２２Ａにのみ周面が当接するローラ体２４１と、隅角部２２Ｂにのみ周面が当接するローラ体２４２とを有する構成としたから、障子３０のレール部材２１，２２の移動に際してガタが少なくなり、障子３０を円滑に移動することができる。
【００４８】
（７）施錠用ハンドル３５を障子３０に設けたから、障子３０およびレール部材２１，２２を枠体１０から突き出しあるいは引き込む際、および障子３０をレール部材２１，２２に対しスライド移動させる際に、施錠用ハンドル３５を持って操作することができ、窓の開閉操作を容易に行うことができる。
【００４９】
（８）第二レール部材２２の枠体１０からの突出没入を案内するガイド機構４０を備え、このガイド機構４０は、下枠材１２の室外側に突出して設けられたガイド片部４１と、第二レール部材２２に設けられてガイド片部４１の上面を転動するガイドローラ４２とを有する構成とした。そのため、レール部材２１，２２および障子３０を枠体１０に対して突き出しあるいは引き込む際に、これらの荷重をガイド機構４０で支持することになるので、第一リンク機構５１および第二リンク機構５２にかかる支持荷重を少なくすることができる。したがって、第一リンク機構５１および第二リンク機構５２に不要な荷重をかけることがないので、第一リンク機構５１および第二リンク機構５２の変形等を防止することができる。
【００５０】
［変形例］
なお、本発明は、前記実施形態に限定されるものではなく、本発明の目的を達成できる他の構成等を含み、以下に示すような変形等も本発明に含まれる。
例えば、前記実施形態では、障子３０がスライド自在に設けられる第一レール部材および第二レール部材を上下に配置されたレール部材２１，２２としたが、本発明では、これに限定されるものではなく、例えば、第一レール部材および第二レール部材を左右に配置され上下に伸びるレール部材とし、これらのレール部材に沿って障子を上下にスライドさせ、枠体に障子３０とのバランスをとるスパイラルバランサを設ける構成としてもよい。
【００５１】
また、前記実施形態では、第一レール部材２１および第二レール部材２２を枠体１０から室外に向けて突き出し引き込む構成としたが、本発明では、この逆、つまり、第一レール部材２１および第二レール部材２２を枠体１０から室内に向けて突き出し引き込む構成でもよい。すなわち、本発明は、第一枠材１１および第二枠材１２に対して、第一レール部材２１および第二レール部材２２を見込み方向に移動可能に設けた建具に利用できる。さらに、第一レール部材２１および第二レール部材２２の見込み方向への移動は、水平方向に限定されるものではなく、水平方向に対して斜めであってもよい。
【００５２】
本発明では、障子３０を移動させるために、障子３０に上部ローラ部２３および下部ローラ部２４を必ずしも設けることを要せず、仮に設けた場合であっても、前記実施形態の構造に限定されるものではない。例えば、障子３０の移動を円滑にするために、回転軸を水平とした従来の戸車を下框３２に設ける構造としてもよい。
前記実施形態では、ガイド機構４０を構成するガイド片部４１は、下枠材１２とは別の部材で構成されているが、本発明のガイド片部は下枠材１２の一部から構成されるものでもよい。また、ガイド片部４１を、下枠材１２とは別の部材で構成する場合にあっては、下枠材の見込み方向の寸法が大きい場合には、ガイド片部を下枠材より突出させることを要しない。さらに、ガイド片部４１を構成する別の部材を下枠材１２に取り付けるものに限定されるものではなく、下枠材１２以外、例えば、外壁の躯体などに取り付けるものであってもよい。
【００５３】
施錠用ハンドル３５の取付位置は障子３０の縦框３４の高さ方向の中央部分に限定されるものではなく、建具１の取付位置との関係で適宜設定することができる。また、施錠用ハンドルとは別に障子３０を押し出しあるいは引き込むための取手を設けてもよい。
また、下のレール部材２２の枠体１０からの突出没入を案内するガイド機構４０は必ずしも設けることを要しない。
【符号の説明】
【００５４】
１…建具、１０…枠体、１１…上枠材（第一枠材）、１２…下枠材（第二枠材）、１４…縦枠材（第三枠材）、１３…縦枠材（第四枠材）、２０…空間、２１…第一レール部材，２２…第二レール部材、２３…上部ローラ部、２４…下部ローラ部、２２Ａ，２２Ｂ…隅角部、２４１…第一ローラ体、２４２…第二ローラ体、３０…障子、３５…施錠用ハンドル、３８…錠機構、４０…ガイド機構、４１…ガイド片部、４２…ガイドローラ、５１…第一リンク機構、５２…第二リンク機構、５３…揺動リンク、５４…回動リンク、６０…連動機構、６１…第一リンケージバー、６２…第二リンケージバー、６３…第三リンケージバー、６５…コーナー用連結部材、６６…案内部材
【図１】
2014134068.tif 000003
【図２】
2014134068.tif 000004
【図３】
2014134068.tif 000005
【図４】
2014134068.tif 000006
【図５】
2014134068.tif 000007
【図６】
2014134068.tif 000008
【図７】
2014134068.tif 000009
【図８】
2014134068.tif 000010
【図９】
2014134068.tif 000011
【図１０】
2014134068.tif 000012
【図１１】
2014134068.tif 000013
【図１２】
2014134068.tif 000014
【図１３】
2014134068.tif 000015
【図１４】
2014134068.tif 000016
【図１５】
2014134068.tif 000017